(57)【要約】【課題】音量調整を柔軟に行う。【解決手段】無線通信装置は、プレストーク通信によって無線通信を行う無線通信装置であって、ユーザの操作を受け付ける操作部２０と、受信した音声信号を音声として出力する出力部１６と、出力部１６が出力する音声の音量を調整する音量調整部４２と、を有する。音量調整部４２は、操作部２０にユーザの所定の操作があった場合に、音声信号の送信元を示す送信元情報を取得し、取得した送信元情報に基づき、音声の音量を調整する度合いである調整係数を用いて、音声の音量を調整する。【選択図】図２
2020102804.tif 000002
【特許請求の範囲】
【請求項１】
プレストーク通信によって無線通信を行う無線通信装置であって、
ユーザの操作を受け付ける操作部と、
受信した音声信号を音声として出力する出力部と、
前記出力部が出力する前記音声の音量を調整する音量調整部と、を有し、
前記音量調整部は、前記操作部に前記ユーザの所定の操作があった場合に、前記音声信号の送信元を示す送信元情報を取得し、取得した前記送信元情報に基づき、前記音声の音量を調整する度合いである調整係数を用いて、前記音声の音量を調整する、
無線通信装置。
【請求項２】
前記送信元情報と前記調整係数とを関連付けた情報である調整情報を、送信元毎に記憶する記憶部をさらに有し、
前記音量調整部は、受信した前記音声信号から取得した前記送信元情報と一致する前記送信元情報が、前記調整情報に含まれる場合に、一致する前記送信元情報に関連付けられた前記調整係数を用いて、前記音声の音量を調整する、請求項１に記載の無線通信装置。
【請求項３】
前記記憶部は、前記音声の音量調整を続ける調整継続時間を設定するための調整時間を、前記送信元情報に関連付けて前記調整情報として記憶し、
前記音量調整部は、受信した前記音声信号の前記送信元情報と一致する前記送信元情報が、前記調整情報に含まれる場合に、一致する前記送信元情報に関連付けられた前記調整時間を用いて、前記調整継続時間を設定する、請求項２に記載の無線通信装置。
【請求項４】
前記音量調整部は、
前記出力部から音声が出力されているタイミングに前記操作部への前記ユーザの所定の操作があった場合であって、前記一致する前記送信元情報が前記調整情報に含まれる場合に、前記一致する送信元情報に関連付けられた前記調整時間を用いて、前記調整継続時間を設定して、前記音声の音量調整を開始し、
前記出力部から音声が出力されていないタイミングに前記操作部に前記ユーザの所定の操作があった場合には、予め定めた前記調整時間であるデフォルト調整時間を用いて、前記調整継続時間を設定する、請求項３に記載の無線通信装置。
【請求項５】
前記音量調整部は、前記出力部から音声が出力されている最中に前記調整継続時間が終了した場合は、前記音声の出力が終了するまで、前記音声の音量調整を続ける、請求項３又は請求項４に記載の無線通信装置。
【請求項６】
前記音量調整部は、前記調整継続時間中に前記操作部への前記ユーザの延長操作があった場合に、前記調整時間を改めて用いることで、前記調整継続時間を延長する、請求項３から請求項５のいずれか１項に記載の無線通信装置。
【請求項７】
ユーザの操作を受け付ける操作部と、受信した音声信号を音声として出力する無線通信装置を用いて、プレストーク通信によって無線通信を行う無線通信方法であって、
前記操作部に前記ユーザの所定の操作があった場合に、前記音声信号の送信元を示す送信元情報を取得し、取得した前記送信元情報に基づき、前記音声の音量を調整する度合いである調整係数を用いて、前記音声の音量を調整する、
無線通信方法。
【請求項８】
ユーザの操作を受け付ける操作部と、受信した音声信号を音声として出力する無線通信装置を用いて、プレストーク通信によって無線通信を行う無線通信方法を、コンピュータに実行させるプログラムであって、
前記操作部に前記ユーザの所定の操作があった場合に、前記音声信号の送信元を示す送信元情報を取得し、取得した前記送信元情報に基づき、前記音声の音量を調整する度合いである調整係数を用いて、前記音声の音量を調整する、
プログラム。
【発明の詳細な説明】
【技術分野】
【０００１】
本発明は、無線通信装置、無線通信方法、及びプログラムに関する。
【背景技術】
【０００２】
プレストーク通信の方式で無線通信を行う無線通信装置は、ＰＴＴ（Ｐｕｓｈ  Ｔｏ  Ｔａｌｋ）スイッチが操作されている間のみ音声を送信するが、音声の受信は、スイッチ操作を行うことなく、自動的に行われる。従って、ユーザが置かれている状況によっては、無線通信装置からの音声の調整が必要な場合がある。例えば、接客中など、無線通信装置からの音声を聞くよりも優先すべきことがある状況や、周囲に音声を聞かせたくない状況においては、音量を低く設定するニーズがある。また、重要な情報を受信する可能性がある状況では、音量を高く設定するニーズもある。特許文献１には、ＰＴＴスイッチを複数回短押しすることで、通話終了まで、音量を低下させる旨が記載されている。
【先行技術文献】
【特許文献】
【０００３】
【特許文献１】特許第６３１４６９３号公報
【発明の概要】
【発明が解決しようとする課題】
【０００４】
ここで、無線通信装置は、複数のユーザから異なるタイミングで音声を受信する場合がある。この場合、例えば特許文献１のように一様に音声を下げてしまうと、重要な情報を聞き逃すなど、適切に情報を受けることができなくなるおそれがある。従って、無線通信装置の音量調整を、より柔軟に行う事が求められる。
【０００５】
本発明は、上記課題を鑑み、音量調整を柔軟に行うことができる無線通信装置、無線通信方法、及びプログラムを提供することを目的とする。
【課題を解決するための手段】
【０００６】
本発明の一態様にかかる無線通信装置は、プレストーク通信によって無線通信を行う無線通信装置であって、ユーザの操作を受け付ける操作部と、受信した音声信号を音声として出力する出力部と、前記出力部が出力する前記音声の音量を調整する音量調整部と、を有し、前記音量調整部は、前記操作部に前記ユーザの所定の操作があった場合に、前記音声信号の送信元を示す送信元情報を取得し、取得した前記送信元情報に基づき、前記音声の音量を調整する度合いである調整係数を用いて、前記音声の音量を調整する。
【０００７】
本発明の一態様にかかる無線通信方法は、ユーザの操作を受け付ける操作部と、受信した音声信号を音声として出力する無線通信装置を用いて、プレストーク通信によって無線通信を行う無線通信方法であって、前記操作部に前記ユーザの所定の操作があった場合に、前記音声信号の送信元を示す送信元情報を取得し、取得した前記送信元情報に基づき、前記音声の音量を調整する度合いである調整係数を用いて、前記音声の音量を調整する。
【０００８】
本発明の一態様にかかるプログラムは、ユーザの操作を受け付ける操作部と、受信した音声信号を音声として出力する無線通信装置を用いて、プレストーク通信によって無線通信を行う無線通信方法を、コンピュータに実行させるプログラムであって、前記操作部に前記ユーザの所定の操作があった場合に、前記音声信号の送信元を示す送信元情報を取得し、取得した前記送信元情報に基づき、前記音声の音量を調整する度合いである調整係数を用いて、前記音声の音量を調整する。
【発明の効果】
【０００９】
本発明によれば、音量調整を柔軟に行うことができる。
【図面の簡単な説明】
【００１０】
【図１】図１は、本実施形態に係る無線通信装置の模式図である。
【図２】図２は、本実施形態に係る内部装置の構成を示すブロック図である。
【図３】図３は、本実施形態に係る調整情報テーブルの一例を示す図である。
【図４】図４は、調整係数及び調整継続時間の設定方法を説明するフローチャートである。
【図５】図５は、調整継続時間の延長方法を説明するフローチャートである。
【図６】図６は、音量調整方法を説明するフローチャートである。
【図７】図７は、音量調整方法を説明するフローチャートである。
【図８】図８は、調整継続時間が経過した場合の処理を説明するフローチャートである。
【図９】図９は、停止操作が行われた場合の処理を説明するフローチャートである。
【図１０】図１０は、本実施形態に係る音量調整の例を説明する図である。
【図１１】図１１は、本実施形態に係る音量調整の例を説明する図である。
【図１２】図１２は、本実施形態に係る音量調整の例を説明する図である。
【図１３】図１３は、本実施形態に係る音量調整の例を説明する図である。
【図１４】図１４は、本実施形態に係る音量調整の例を説明する図である。
【図１５】図１５は、本実施形態に係る音量調整の例を説明する図である。
【図１６】図１６は、本実施形態に係る音量調整の例を説明する図である。
【００１１】
以下に、本発明の実施形態を図面に基づいて詳細に説明する。なお、以下に説明する実施形態により本発明が限定されるものではない。
【００１２】
（無線通信装置の構成）
図１は、本実施形態に係る無線通信装置の模式図である。図１に示すように、本実施形態に係る無線通信装置１は、筐体１０と、表示部１２と、入力部１４と、出力部１６と、アンテナ１８と、ＰＴＴスイッチ２０Ａと、音量操作部２０Ｂと、スイッチ２０Ｃ、２０Ｄ、２０Ｅと、操作ボタン２０Ｆと、接続部２２と、内部装置２４とを有する。無線通信装置１は、プレストーク通信の方式で無線通信を行う端末である。すなわち、無線通信装置１は、ＰＴＴ（Push  to  Talk）スイッチ２０Ａを押下している間だけ、入力部１４から集音した音声を、電波として送信する。
【００１３】
筐体１０は、無線通信装置１の本体部分であり、内部に内部装置２４を収納している。表示部１２は、筐体１０の表面１０ａに設けられており、例えば液晶パネルなどの表示画面である。ただし、無線通信装置１は、表示部１２を有していなくてもよい。入力部１４は、筐体１０の表面１０ａに設けられており、無線通信装置１のユーザからの音声が入力されるマイクである。出力部１６は、筐体１０の表面１０ａに設けられており、無線通信により受信した音声を出力するスピーカである。なお、入力部１４及び出力部１６の設けられる位置は、筐体１０の表面１０ａに限られず、任意であってよい。アンテナ１８は、筐体１０の上面１０ｂに設けられている。無線通信装置１は、アンテナ１８を介して、他の無線通信装置と無線通信を行う。すなわち、アンテナ１８は、他の無線通信装置からの信号を、受信信号として受信する。また、アンテナ１８は、無線通信装置１から送信される信号である送信信号を、送信する。なお、アンテナ１８の設けられる位置も任意である。
【００１４】
ＰＴＴスイッチ２０Ａは、筐体１０の側面１０ｃに設けられている。ＰＴＴスイッチ２０Ａは、無線通信装置１から、ユーザなどからの音声を送信信号として送信する際に、ユーザによって操作されるボタンである。ユーザがＰＴＴスイッチ２０Ａを操作、ここでは押圧することで、送信開始を示す制御信号であるＰＴＴ信号が送信される。また、ＰＴＴスイッチ２０Ａの設けられる位置も、側面１０ｃに限られず任意である。
【００１５】
音量操作部２０Ｂは、筐体１０の上面１０ｂに設けられている。音量操作部２０Ｂは、出力部１６から出力される音声の音量を調整するレバーである。また、音量操作部２０Ｂは、無線通信の周波数を変更するレバーを備えていてもよい。ただし、音量操作部２０Ｂが設けられる位置は、上面１０ｂに限られず任意である。なお、本実施形態に係る音量とは、所定の大きさの音の情報を含む音声信号を音声として出力する場合において、その音声信号に含まれる音の大きさに対する、出力音声の音の大きさの比率である、と言い換えることができる。従って、同じ音量に設定されていた場合でも、音声信号に含まれる音が大きい場合に出力される音声は、音声信号に含まれる音が小さい場合に出力される音声よりも、大きくなる。
【００１６】
スイッチ２０Ｃ、２０Ｄ、２０Ｅは、筐体１０の側面１０ｄに設けられている。スイッチ２０Ｃ、２０Ｄ、２０Ｅは、ユーザによって操作、ここでは押圧されることで、内部装置２４に所定の処理を行わせる。本実施形態では、スイッチ２０Ｃは、後述の音量調整のトリガとなる調整操作を行うための操作部である。また、スイッチ２０Ｄは、音量調整の延長のトリガとなる延長操作を行うための操作部である。また、スイッチ２０Ｅは、音量調整の停止のトリガとなる停止操作を行うための操作部である。ただし、スイッチ２０Ｃ（調整操作を行うための操作部）、スイッチ２０Ｄ（延長操作を行うための操作部）、及びスイッチ２０Ｅ（停止操作を行うための操作部）の位置は任意であり、筐体の側面１０ｄに設けられることに限られない。また、スイッチ２０Ｃ（調整操作を行うための操作部）、スイッチ２０Ｄ（延長操作を行うための操作部）、及びスイッチ２０Ｅ（停止操作を行うための操作部）は、本実施形態では別々のスイッチであるが、例えば同じスイッチであってもよい。ただし、スイッチ２０Ｃ（調整操作を行うための操作部）、スイッチ２０Ｄ（延長操作を行うための操作部）、及びスイッチ２０Ｅ（停止操作を行うための操作部）は、ＰＴＴスイッチ２０Ａとは別のスイッチであることが好ましい。
【００１７】
操作ボタン２０Ｆは、筐体１０の表面１０ａに設けられる。操作ボタン２０Ｆは、ユーザに操作される複数のキー、例えばテンキーや数字キーなどを有している。
【００１８】
このように、ＰＴＴスイッチ２０Ａ、音量操作部２０Ｂ、スイッチ２０Ｃ（調整操作を行うための操作部）、スイッチ２０Ｄ（延長操作を行うための操作部）、スイッチ２０Ｅ（停止操作を行うための操作部）、及び操作ボタン２０Ｆは、ユーザの操作を受け付ける操作部であるといえる。ＰＴＴスイッチ２０Ａ、音量操作部２０Ｂ、スイッチ２０Ｃ（調整操作を行うための操作部）、スイッチ２０Ｄ（延長操作を行うための操作部）、スイッチ２０Ｅ（停止操作を行うための操作部）、及び操作ボタン２０Ｆを互いに区別しない場合は、操作部２０と記載する。なお、操作部２０は、ユーザによって操作される形状であればよく、ボタンやレバーやキーなどの構造に限られない。
【００１９】
接続部２２は、筐体１０の下方の下面１０ｅに設けられる。接続部２２は、イヤホンなどの音声出力が可能な出力装置や、マイクなどの音声入力が可能な入力装置、更には操作部２０の機能を持つ操作装置が接続可能な、接続端子である。すなわち、接続部２２にイヤホンなどの出力装置が接続されている場合、接続部２２に接続されている出力装置が、無線通信により受信した音声を出力する出力部を構成する。また、接続部２２にマイクなどの入力装置が接続されている場合、接続部２２に接続されている入力装置が、無線通信装置１のユーザからの音声が入力される入力部を構成する。以下、特に言及が無い場合には、出力部１６とは、出力部１６及び接続部２２に接続されている出力装置との少なくとも一方を指している。同様に、特に言及が無い場合には、入力部１４とは、入力部１４及び接続部２２に接続されている入力装置との少なくとも一方を指している。なお、接続部２２の設けられる位置も、下面１０ｅに限られず任意である。
【００２０】
図２は、本実施形態に係る内部装置の構成を示すブロック図である。内部装置２４は、筐体１０の内部に設けられ、図２に示すように、送信部３０と、受信部３２と、記憶部３４と、制御部３６とを有する。送信部３０は、後述の送受信制御部４０により制御されて、入力部１４に入力された音声を、送信信号に変換する回路である。受信部３２は、後述の送受信制御部４０により制御されて、アンテナ１８から受信した受信信号を復調して音声信号を生成する回路である。
【００２１】
記憶部３４は、制御部３６の演算内容やプログラム、後述する調整情報テーブルの情報などを記憶するメモリであり、例えば、ＲＡＭ（Ｒａｎｄｏｍ  Ａｃｃｅｓｓ  Ｍｅｍｏｒｙ）と、ＲＯＭ（Ｒｅａｄ  Ｏｎｌｙ  Ｍｅｍｏｒｙ）と、ＨＤＤ（Ｈａｒｄ  Ｄｉｓｋ  Ｄｒｉｖｅ）などの外部記憶装置とのうち、少なくとも１つ含む。
【００２２】
制御部３６は、演算装置、すなわちＣＰＵ（Ｃｅｎｔｒａｌ  Ｐｒｏｃｅｓｓｉｎｇ  Ｕｎｉｔ）である。図２に示すように、制御部３６は、送受信制御部４０と、音量調整部４２とを有する。送受信制御部４０と、音量調整部４２とは、制御部３６が記憶部３４に記憶されたソフトウェア（プログラム）を読み出すことで実現されて、後述する処理を実行する。ただし、少なくとも送受信制御部４０は、プログラムであることに限られず、後述する処理を実行する回路などのハードウェアであってもよい。
【００２３】
送受信制御部４０は、アンテナ１８が受信した受信信号を、出力部１６に、音声として出力させる。具体的には、ＰＴＴスイッチ２０Ａがユーザに操作されていない場合、すなわちＰＴＴ信号を取得していない場合、送受信制御部４０は、無線通信装置１を、受信状態、すなわち受信信号を音声として出力可能な状態に保っている。すなわち、送受信制御部４０は、断続的に受信状態となる。送受信制御部４０は、受信状態においてアンテナ１８から受信した受信信号を、受信部３２に、音声信号として復調させる。送受信制御部４０は、受信部３２が復調した音声信号を取得し、音声信号から、送信元情報と、送信先情報と、音声情報信号とを抽出する。すなわち、音声信号には、送信元情報と、送信先情報と、音声情報信号とが含まれている。
【００２４】
送信元情報とは、その音声信号（受信信号）の送信元を示す情報である。すなわち、送信元情報は、その音声信号が、どのユーザ又はどの無線通信装置から送信されたかを示すＩＤ情報である。送信元情報は、送信元を識別可能な送信元識別子ということもできる。また、送信先情報とは、その音声信号が、どの無線通信装置１に向けた音声信号であるかを示す情報である。すなわち、送信先情報は、その音声信号が、どのユーザ又はどの無線通信装置に向けた信号であるかを示すＩＤ情報であるといえる。送信先情報は、送信先を識別可能な送信先識別子ということもできる。なお、音声信号が複数の無線通信装置に同時送信されていた場合、すなわち複数の無線通信装置を含むグループに一斉送信される場合、送信先情報は、そのグループを示す情報であってもよい。
【００２５】
音声情報信号は、音声信号（受信信号）に含まれていた音声の情報を含む信号である。送受信制御部４０は、送信先情報から、その音声情報信号を音声として出力するかを判断する。送受信制御部４０は、音声として出力すると判断した場合、音声情報信号を、出力部１６に送信して、出力部１６に、音声として出力させる。送受信制御部４０は、音声として出力しないと判断した場合、その音声情報信号を、音声として出力させない。なお、送受信制御部４０は、例えば、送信先情報で示された送信先が自身の無線通信装置１を示す場合、又は、送信先情報で示された送信先のグループが自身の無線通信装置１を含む場合に、その音声情報信号を音声として出力すると判断する。
【００２６】
また、送受信制御部４０は、送信部３０を制御して、送信信号を送信させる。具体的には、送受信制御部４０は、ＰＴＴスイッチ２０Ａがユーザに操作された場合、すなわちＰＴＴ信号を取得した場合、入力部１４に入力された音声を、音声情報信号に変換する。ＰＴＴスイッチ２０Ａがユーザに操作されている場合、すなわちＰＴＴ信号を取得した場合、送受信制御部４０は、無線通信装置１を、送信状態、すなわち音声を送信信号として送信可能な状態に保っている。より詳しくは、送受信制御部４０は、送信状態において、入力部１４に入力された音声を、自身の無線通信装置１を示す送信元情報、及び送信先情報と共に符号化して、音声情報信号と送信元信号と送信先信号とを含む音声信号を生成する。送受信制御部４０は、生成した音声信号を、送信部３０で、所定の周波数の送信信号に変換させ、アンテナ１８から、送信信号を送信させる。なお、自身の無線通信装置１を示す送信元情報とは、無線通信装置１又は無線通信装置１のユーザによって送信されたことを示す送信元情報である。また、送信先情報は、例えばユーザによって設定される。
【００２７】
音量調整部４２は、出力部１６が出力する音声の音量を調整する。音量調整部４２は、例えば出力部１６に接続されるアンプ部を制御することで、出力部１６が出力する音声の音量を調整する。音量調整部４２は、操作部２０にユーザの所定の操作があった場合に、後述する音量調整の処理を行う。所定の操作とは、音量調整を行うトリガとなる調整操作であり、本実施形態では、スイッチ２０Ｃへの操作である。調整操作は、例えばスイッチ２０Ｃを一回押圧する操作であるが、調整操作の操作内容は、一回押圧に限られず任意である。
【００２８】
音量調整部４２は、送信元情報取得部５０と、調整係数設定部５２と、調整時間設定部５４と、音量制御部５６とを有する。送信元情報取得部５０は、スイッチ２０Ｃへ調整操作があった場合に、アンテナ１８が受信した受信信号、すなわち受信部３２が受信して復調した音声信号の、送信元情報を取得する。すなわち、送信元情報取得部５０は、送受信制御部４０が音声信号から抽出した送信元情報を、取得する。
【００２９】
調整係数設定部５２は、スイッチ２０Ｃへ調整操作があった場合に、送信元情報取得部５０が取得した送信元情報に基づき、出力部１６が出力する音声の音量を調整する度合いである調整係数を設定する。さらに言えば、出力部１６が出力する音声の音量として予め設定されていた音量を、通常音量とすると、調整係数は、通常音量に乗じられる係数であるといえる。この場合、通常音量に調整係数が乗じられた値である調整音量が、実際に出力部１６が出力する音声の音量となる。調整係数は、本実施形態では０より大きく１より小さい数値範囲内で設定されるが、これに限られず任意の数値範囲で設定されてもよい。例えば、調整係数は、１より大きい値として設定されてもよい。また、予め設定されていた通常音量は、例えば、ユーザが音量操作部２０Ｂを操作することで設定される。このように、調整係数は、スイッチ２０Ｃへ調整操作があった場合に出力部１６から出力される音声の音量を、調整音量にするための係数であるといえる。
【００３０】
図３は、本実施形態に係る調整情報テーブルの一例を示す図である。記憶部３４は、調整情報テーブルを記憶している。調整情報テーブルとは、送信元情報と調整係数とを関連付けた調整情報を複数含む情報群である。すなわち、記憶部３４は、送信元情報と調整係数とを関連付けた情報である調整情報を、複数の送信元情報毎に記憶する。調整係数設定部５２は、調整情報テーブルに基づき、すなわち複数の調整情報に基づき、調整係数を設定する。なお、図３に示すように、調整情報には、調整時間も関連付いているが、調整時間については後述する。なお、詳細な説明は省略するが、送信元情報の代わりに送信先グループ情報と調整係数、調整時間とを関連付けて記憶する調整情報テーブルとすることも可能である。前述のように送受信制御部４０は、送信先情報がグループを示しており自身の無線通信装置１を含む場合に音声を出力する。無線通信装置１は、複数のグループに属することも可能であるため調整情報テーブルに含まれる送信先グループ情報を使い、グループの違いによる音量調整ができる。
【００３１】
図３に示すように、調整情報テーブルは、送信元情報と調整係数とが関連付けられた調整情報を、送信元情報毎に含む。すなわち、調整情報テーブルにおいて、調整係数は、送信元情報毎に割り当てられており、送信元情報毎に異なる値となってもよい。図３の例では、送信元情報Ａ１に対して調整係数Ｂ１が割り当てられており、送信元情報Ａ２に対して調整係数Ｂ２が割り当てられており、送信元情報Ａ３に対して調整係数Ｂ３が割り当てられている。送信元情報Ａ１は、例えば送信元が無線通信装置Ｐ１であることを示す情報であり、送信元情報Ａ２は、例えば送信元が無線通信装置Ｐ１とは異なる無線通信装置Ｐ２であることを示す情報であり、送信元情報Ａ３は、例えば送信元が無線通信装置Ｐ１、Ｐ２とは異なる無線通信装置Ｐ３であることを示す情報である。図３では、３つの送信元情報Ａ１、Ａ２、Ａ３に対し、それぞれ調整係数Ｂ１、Ｂ２、Ｂ３が割り当てられる例を示しているが、調整係数が割り当てられる送信元情報の数、すなわち調整情報の数は、３つに限られず任意である。また、図３では、デフォルト送信元情報Ａ０に対して、デフォルト調整係数Ｂ０が割り当てられている。デフォルト送信元情報Ａ０は、調整情報テーブルに含まれる送信元情報以外の、全ての送信元を指している。すなわち、デフォルト送信元情報Ａ０は、調整情報として設定されている送信元情報以外の全ての送信元を指しており、図３の例では、無線通信装置Ｐ１、Ｐ２、Ｐ３以外の無線通信装置が送信元である場合を意味している。また、デフォルト調整係数Ｂ０とは、デフォルト送信元情報Ａ０に対して割り当てられた調整係数Ｂである。以下、デフォルト送信元情報Ａ０と、送信元情報Ａ１、Ａ２、Ａ３とを互いに区別しない場合は、送信元情報Ａと記載し、デフォルト調整係数Ｂ０と、調整係数Ｂ１、Ｂ２、Ｂ３とを互いに区別しない場合は、調整係数Ｂと記載する。
【００３２】
調整情報テーブルにおける送信元情報Ａと調整係数Ｂとは、予め設定されて、記憶部３４に記憶されている。調整情報テーブルにおける送信元情報Ａと調整係数Ｂとは、例えばユーザに設定されもよい。すなわち、例えばユーザによって、送信元情報Ａが選択されて、選択された送信元情報Ａに関連付ける調整係数Ｂが設定される。この場合、ユーザは、例えば操作ボタン２０Ｆなどを操作することで、送信元情報Ａと調整係数Ｂとを設定してもよい。また、例えば無線通信装置１が、無線通信で、送信元情報Ａと調整係数Ｂとを取得することで、送信元情報Ａと調整係数Ｂとを設定してもよい。すなわち、調整情報テーブルに含まれる送信元情報Ａは、任意に設定されてよく、送信元情報Ａに関連付けられる調整係数Ｂの値も、任意に設定されてよい。
【００３３】
調整係数設定部５２は、このように設定された調整情報テーブルに基づき、調整係数Ｂを設定する。すなわち、調整係数設定部５２は、送信元情報取得部５０から、受信した音声信号の送信元情報Ａを取得し、記憶部３４から、調整情報テーブルを読み出す。そして、調整係数設定部５２は、受信した音声信号の送信元情報Ａと調整情報テーブルとを照合して、調整情報テーブルに含まれる送信元情報Ａの中に、受信した音声信号の送信元情報Ａと一致する送信元情報Ａがあるかを検出する。ここでの調整情報テーブルに含まれる送信元情報Ａとは、調整情報テーブルに含まれる送信元情報Ａのうち、デフォルト送信元情報Ａ０を除いた送信元情報Ａを指しており、図３の例では、送信元情報Ａ１、Ａ２、Ａ３である。調整係数設定部５２は、受信した音声信号の送信元情報Ａと一致する送信元情報Ａが調整情報テーブルに含まれる場合、受信した音声信号の送信元情報Ａと一致する送信元情報Ａに関連付けられた調整係数Ｂを抽出する。調整係数設定部５２は、抽出した調整係数Ｂを、受信した音声信号の音声調整に使用する調整係数Ｂに設定する。例えば、受信した音声信号の送信元情報Ａが送信元情報Ａ１である場合、すなわち受信した音声信号が無線通信装置Ｐ１からのものである場合、調整係数設定部５２は、調整情報テーブルに含まれる送信元情報Ａ１に関連付いた調整係数Ｂ１を、受信した音声信号の調整係数Ｂに設定する。
【００３４】
また、受信した音声信号の送信元情報Ａと一致する送信元情報Ａが調整情報テーブルに含まれない場合、すなわち、受信した音声信号の送信元情報Ａが、デフォルト送信元情報Ａ０を除いた送信元情報Ａのいずれにも一致しない場合、調整係数設定部５２は、デフォルト送信元情報Ａ０に関連付いたデフォルト調整係数Ｂ０を抽出する。調整係数設定部５２は、抽出したデフォルト調整係数Ｂ０を、受信した音声信号の音声調整に使用する調整係数Ｂに設定する。例えば、受信した音声信号の送信元情報Ａが、送信元情報Ａ１、Ａ２、Ａ３のいずれにも一致しない場合、すなわち受信した音声信号が無線通信装置Ｐ１、Ｐ２、Ｐ３からのものでない場合、調整係数設定部５２は、デフォルト送信元情報Ａ０に関連付いたデフォルト調整係数Ｂ０を、受信した音声信号の音声調整に使用する調整係数Ｂに設定する。調整係数設定部５２は、このようにして、調整係数Ｂを設定する。
【００３５】
ここで、出力部１６が出力する音声の音量調整を続ける時間を、調整継続時間とする。すなわち、調整継続時間は、後述の音量制御部５６が、調整係数Ｂを用いて、出力部１６の出力音声の音量調整を続ける時間である。言い換えれば、音量制御部５６は、調整継続時間の時間帯に音声を出力する場合は、音声の音量調整を行う。一方、音量制御部５６は、調整継続時間でない時間帯に音声を出力する場合は、音声の音量調整を行わない。図２に示す調整時間設定部５４は、スイッチ２０Ｃへ調整操作があった場合に、送信元情報取得部５０が取得した送信元情報に基づき、調整時間を設定する。調整時間とは、調整継続時間を設定するための時間である。図３に示すように、調整時間は、調整情報において、調整係数Ｂと共に、送信元情報Ａに関連付けられている。すなわち、調整情報テーブルにおける調整情報は、送信元情報Ａと、調整係数Ｂと、調整時間とを、関連付けた情報である。このように、記憶部３４は、調整継続時間を設定するための調整時間を、送信元情報に関連付けて調整情報として記憶している。調整時間設定部５４は、調整情報テーブルに基づき、すなわち調整情報に基づき、調整時間を設定する。なお、調整時間は無限長の時間を設定することも可能であり、この場合はユーザによる停止操作が行われるまで継続する。
【００３６】
図３に示すように、調整情報テーブルは、送信元情報と調整係数と調整時間とが関連付けられた調整情報を、送信元情報毎に含む。すなわち、調整情報テーブルにおいて、調整時間は、送信元情報毎に割り当てられており、送信元情報毎に異なる値となってもよい。図３の例では、送信元情報Ａ１に対して調整時間ΔＴ１が割り当てられており、送信元情報Ａ２に対して調整時間ΔＴ２が割り当てられており、送信元情報Ａ３に対して調整時間ΔＴ３が割り当てられている。図３では、３つの送信元情報Ａ１、Ａ２、Ａ３に対し、それぞれ調整時間ΔＴ１、ΔＴ２、ΔＴ３が割り当てられる例を示しているが、調整時間が割り当てられる送信元情報の数、すなわち調整情報の数は、３つに限られず任意である。また、図３では、デフォルト送信元情報Ａ０に対して、デフォルト調整時間ΔＴ０が割り当てられている。以下、デフォルト調整時間ΔＴ０と、調整時間ΔＴ１、ΔＴ２、ΔＴ３とを互いに区別しない場合は、調整時間ΔＴと記載する。
【００３７】
調整情報テーブルにおける送信元情報Ａと調整係数Ｂと調整時間ΔＴとは、予め設定されて、記憶部３４に記憶されている。調整情報テーブルにおける送信元情報Ａと調整係数Ｂと調整時間ΔＴとは、例えばユーザに設定されもよい。すなわち、例えばユーザによって、送信元情報Ａが選択されて、選択された送信元情報Ａに関連付ける調整係数Ｂと調整時間ΔＴとが設定される。この場合、ユーザは、例えば操作ボタン２０Ｆなどを操作することで、送信元情報Ａと調整係数Ｂと調整時間ΔＴとを設定してもよい。また、例えば無線通信装置１が、無線通信で、送信元情報Ａと調整係数Ｂと調整時間ΔＴとを取得することで、送信元情報Ａと調整係数Ｂと調整時間ΔＴとを設定してもよい。このように、調整情報テーブルに含まれる送信元情報Ａは、任意に設定され、送信元情報Ａに関連付けられる調整係数Ｂと調整時間ΔＴとの値も、任意に設定される。
【００３８】
調整時間設定部５４は、このように設定された調整情報テーブルに基づき、調整継続時間に用いる調整時間ΔＴを設定する。すなわち、調整時間設定部５４は、送信元情報取得部５０から、受信した音声信号の送信元情報Ａを取得し、記憶部３４から、調整情報テーブルを読み出す。そして、調整時間設定部５４は、受信した音声信号の送信元情報Ａと調整情報テーブルとを照合して、調整情報テーブルに含まれる送信元情報Ａの中に、受信した音声信号の送信元情報Ａと一致する送信元情報Ａがあるかを検出する。ここでの調整情報テーブルに含まれる送信元情報Ａとは、調整情報テーブルに含まれる送信元情報Ａのうち、デフォルト送信元情報Ａ０を除いた送信元情報Ａを指している。調整時間設定部５４は、受信した音声信号の送信元情報Ａと一致する送信元情報Ａが調整情報テーブルに含まれる場合、受信した音声信号の送信元情報Ａと一致する送信元情報Ａに関連付けられた調整時間ΔＴを抽出する。調整時間設定部５４は、抽出した調整時間ΔＴを、調整継続時間に用いる調整時間ΔＴに設定する。例えば、受信した音声信号の送信元情報Ａが送信元情報Ａ１である場合、すなわち受信した音声信号が無線通信装置Ｐ１からのものである場合、調整時間設定部５４は、調整情報テーブルに含まれる送信元情報Ａ１に関連付いた調整時間ΔＴ１を、調整継続時間の設定に用いる調整時間ΔＴに設定する。
【００３９】
また、調整時間設定部５４は、受信した音声信号の送信元情報Ａと一致する送信元情報Ａが調整情報テーブルに含まれない場合、すなわち、受信した音声信号の送信元情報Ａが、デフォルト送信元情報Ａ０を除いた送信元情報Ａのいずれにも一致しない場合、デフォルト送信元情報Ａ０に関連付いたデフォルト調整時間ΔＴ０を抽出する。調整時間設定部５４は、抽出したデフォルト調整時間ΔＴ０を、受信した音声信号の音声調整に用いる。例えば、受信した音声信号の送信元情報Ａが、送信元情報Ａ１、Ａ２、Ａ３のいずれにも一致しない場合、すなわち受信した音声信号が無線通信装置Ｐ１、Ｐ２、Ｐ３からのものでない場合、調整時間設定部５４は、デフォルト送信元情報Ａ０に関連付いたデフォルト調整時間ΔＴ０を、調整継続時間の設定に用いる調整時間ΔＴに設定する。また、調整時間設定部５４は、スイッチ２０Ｃへ調整操作があった際に、音声信号を受信していない場合にも、デフォルト送信元情報Ａ０を除いた送信元情報Ａのいずれにも一致しないとして、デフォルト送信元情報Ａ０に関連付いたデフォルト調整時間ΔＴ０を、調整継続時間の設定に用いる調整時間ΔＴに設定する。
【００４０】
図２に示す音量制御部５６は、調整係数設定部５２が設定した調整係数Ｂを用いて、出力部１６が出力する音声の音量を調整する。すなわち、音量制御部５６は、調整係数設定部５２が設定した調整係数Ｂを、予め設定されている通常音量に乗じることで、調整音量を算出する。音量制御部５６は、出力部１６に対し、受信した音声情報信号を、調整音量で音声として出力させる。
【００４１】
また、音量制御部５６は、調整時間設定部５４が設定した調整時間ΔＴを用いて、音量調整を続ける時間である調整継続時間を設定する。すなわち、音量制御部５６は、調整時間ΔＴの分だけ音量調整を続けるよう、調整継続時間を設定する。ただし、音量制御部５６は、状況によっては、調整継続時間を、調整時間ΔＴから異ならせる。調整継続時間の設定方法の詳細については、以下で説明するフローチャートで説明する。このように、本実施形態に係る無線通信装置１は、調整時間ΔＴに基づき調整継続時間を設定する。ただし、無線通信装置１は、調整継続時間を設定しなくてもよい。この場合、音量制御部５６は、音量調整を予め定めた時間だけ続けてもよいし、スイッチ２０Ｅへの停止操作があるまで、音量調整を続けてもよい。調整継続時間を設定しない場合、無線通信装置１は、調整時間ΔＴについても設定しなくてよく、図３に示す調整情報に調整時間ΔＴが含まれなくてもよい。すなわち、無線通信装置１は、少なくとも、送信元情報Ａに基づき調整係数Ｂを設定し、設定した調整係数Ｂを用いて、音声の音量を調整すればよい。
【００４２】
（調整係数及び調整継続時間の設定）
次に、音量調整部４２による、調整係数Ｂ及び調整継続時間の設定方法について説明する。音量調整部４２は、音量調整フラグがオフである場合に、ユーザによるスイッチ２０Ｃへの調整操作を検出すると、調整係数及び調整継続時間を設定する。音量調整フラグは、音量調整を行う必要があることを示す情報である。後述のように、音量調整部４２は、音量調整フラグがオフ、すなわち偽（Ｆａｌｓｅ）である場合、音量調整を実施しない。一方、音量調整部４２は、調整有効フラグがオン、すなわち真（Ｔｒｕｅ）である場合、音量調整を実施する。
【００４３】
図４は、調整係数及び調整継続時間の設定方法を説明するフローチャートである。図４に示すように、音量調整部４２は、音量調整フラグがオフである場合にスイッチ２０Ｃへの調整操作があった場合（ステップＳ１０）、すなわち音量調整イベントがあった場合に、調整操作があったことを検出する。音量調整部４２は、調整操作があったことを検出したら、出力部１６から音声が出力中であるかを判断する（ステップＳ１２）。すなわち、音量調整部４２は、出力部１６が、スイッチ２０Ｃへの調整操作があったタイミングにおいて、受信した音声信号を音声として出力中であるかを判断する。
【００４４】
音声が出力中である場合（ステップＳ１２；Ｙｅｓ）、音量調整部４２は、送信元情報取得部５０によって、受信している音声信号の送信元情報Ａを取得して、取得した送信元情報Ａが、調整情報テーブルの送信元情報Ａに一致しているかを判断する（ステップＳ１４）。すなわち、音声が出力中である場合、送信元情報取得部５０は、出力している音声に対応する音声信号の送信元情報Ａを取得する。そして、音量調整部４２は、調整情報テーブルに含まれる送信元情報Ａの中に、出力している音声に対応する音声信号の送信元情報Ａと一致する送信元情報Ａがあるかを判断する。一致する送信元情報Ａがある場合（ステップＳ１４；Ｙｅｓ）、音量調整部４２は、調整係数設定部５２により、一致する送信元情報Ａに関連付けられた調整係数Ｂを、音量調整に用いる調整係数Ｂとして設定する（ステップＳ１６）。そして、音量調整部４２は、調整時間設定部５４により、一致する送信元情報Ａに関連付けられた調整時間ΔＴを、調整継続時間の設定に用いる調整時間ΔＴとして設定して、その調整時間ΔＴを、調整継続時間に設定する（ステップＳ１８）。すなわち、調整係数設定部５２は、調整情報テーブルにおいて、出力中の音声に対応する音声信号の送信元情報Ａと一致する送信元情報Ａに関連付けられた調整係数Ｂを、音量調整に用いる調整係数Ｂとして設定する。調整時間設定部５４は、調整情報テーブルにおいて、出力中の音声に対応する音声信号の送信元情報Ａと一致する送信元情報Ａに関連付けられた調整時間ΔＴを、調整継続時間に設定する。そして、調整時間設定部５４は、調整継続時間のタイマを起動する。すなわち、調整時間設定部５４は、設定した調整継続時間が経過するまでのカウントを始める。なお、ステップＳ１６とステップＳ１８との順番は、この順に限られず任意である。
【００４５】
一方、一致する送信元情報Ａがない場合（ステップＳ１４；Ｎｏ）、音量調整部４２は、調整係数設定部５２により、デフォルト調整係数Ｂ０を、音量調整に用いる調整係数Ｂとして設定する（ステップＳ２０）。そして、音量調整部４２は、調整時間設定部５４により、デフォルト調整時間ΔＴ０を、調整継続時間の設定に用いる調整時間ΔＴとして設定して、その調整時間ΔＴを、調整継続時間に設定する（ステップＳ２２）。すなわち、調整係数設定部５２と調整時間設定部５４とは、出力中の音声に対応する音声信号の送信元情報Ａと一致する送信元情報Ａが調整情報テーブルに含まれない場合、デフォルト調整係数Ｂ０を、音量調整に用いる調整係数Ｂとして設定し、デフォルト調整時間ΔＴ０を、調整継続時間に設定する。そして、調整時間設定部５４は、調整継続時間のタイマを起動する。すなわち、調整時間設定部５４は、設定した調整継続時間が経過するまでのカウントを始める。なお、ステップＳ２０とステップＳ２２との順番は、この順に限られず任意である。
【００４６】
また、音声が出力中でない場合（ステップＳ１２；Ｎｏ）、ステップＳ２２に進み、調整時間設定部５４は、デフォルト調整時間ΔＴ０を、調整継続時間に設定する。すなわち、音声が出力中でない場合は音量調整は不要なので、現時点での調整係数Ｂの設定は不要である。一方、現時点では音声が出力中でなくても、この後に音声が出力される可能性があるため、それに備えて、調整継続時間を設定しておくことが好ましい。従って、音量調整部４２は、音声が出力中でない場合には、音量調整のための調整係数Ｂを設定しない一方、調整時間ΔＴを調整継続時間として設定する。
【００４７】
ステップＳ１８又はステップＳ２２で調整継続時間を設定したら、音量調整部４２は、調整有効フラグをオンにして（ステップＳ２４）、本処理を終了する。
【００４８】
次に、音量調整部４２による、調整継続時間の延長方法について説明する。図５は、調整継続時間の延長方法を説明するフローチャートである。音量調整部４２は、音量調整フラグがオンである場合に、スイッチ２０Ｄへの延長操作を検出すると、調整継続時間を再設定して、調整継続時間を延長する。図５に示すように、音量調整部４２は、調整有効フラグがオンである場合に、スイッチ２０Ｄへの延長操作があった場合（ステップＳ３０）、すなわち音量調整延長イベントがあった場合に、延長操作があったことを検出する。音量調整部４２は、延長操作があったことを検出したら、出力部１６から音声が出力中であるかを判断する（ステップＳ３２）。すなわち、音量調整部４２は、出力部１６が、スイッチ２０Ｄへの延長操作があったタイミングで、受信した音声信号を音声として出力中であるかを判断する。なお、延長操作は、スイッチ２０Ｄへの１回の操作（押圧）であるが、延長操作の方法は任意である。
【００４９】
音声が出力中である場合（ステップＳ３２；Ｙｅｓ）、音量調整部４２は、送信元情報取得部５０によって、受信している音声信号の送信元情報Ａを取得して、取得した送信元情報Ａが、調整情報テーブルの送信元情報Ａに一致しているかを判断する（ステップＳ３４）。音量調整部４２は、調整情報テーブルに含まれる送信元情報Ａの中に、出力している音声に対応する音声信号の送信元情報Ａと一致する送信元情報Ａがあるかを判断する。一致する送信元情報Ａがある場合（ステップＳ３４；Ｙｅｓ）、音量調整部４２は、調整時間設定部５４により、一致する送信元情報Ａに関連付けられた調整時間ΔＴを、調整継続時間の再設定に用いる調整時間ΔＴとして設定して、その調整時間ΔＴで、調整継続時間を再設定する（ステップＳ３６）。すなわち、調整時間設定部５４は、調整情報テーブルにおいて、出力中の音声に対応する音声信号の送信元情報Ａと一致する送信元情報Ａに関連付けられた調整時間ΔＴを、抽出する。そして、調整時間設定部５４は、抽出した調整時間ΔＴを用いて、現在設定されている調整継続時間を延長する。本実施形態では、調整時間設定部５４は、現在起動している調整継続時間のタイマのカウント終了までの時間を、現在設定されている時間から、現在の時刻から今回抽出した調整時間ΔＴが経過する時刻までの間の時間に、変更する。
【００５０】
一方、一致する送信元情報Ａがない場合（ステップＳ３４；Ｎｏ）、音量調整部４２は、調整時間設定部５４により、デフォルト調整時間ΔＴ０を、調整継続時間の再設定に用いる調整時間ΔＴとして設定して、デフォルト調整時間ΔＴ０で、調整継続時間を再設定する（ステップＳ３８）。すなわち、調整時間設定部５４は、出力中の音声に対応する音声信号の送信元情報Ａと一致する送信元情報Ａが調整情報テーブルに含まれない場合、デフォルト調整時間ΔＴ０を抽出する。そして、調整時間設定部５４は、抽出したデフォルト調整時間ΔＴ０を用いて、現在設定されている調整継続時間を延長する。すなわち、調整時間設定部５４は、現在起動している調整継続時間のタイマのカウント終了までの時間を、現在設定されている時間から、現在の時刻からデフォルト調整時間ΔＴ０が経過する時刻までの間の時間に、変更する。また、音声が出力中でない場合（ステップＳ３２；Ｎｏ）も、同様にステップＳ３８に進み、デフォルト調整時間ΔＴ０で、調整継続時間を再設定する。
【００５１】
ステップＳ３６又はステップＳ３８で調整継続時間を再設定したら、図５の処理は終了する。なお、図５の処理においては、音量調整フラグがオンの状態であるため、音声出力中である場合は調整係数Ｂが設定済みで、音声出力中でない場合は調整係数Ｂの設定が不要である。従って、図５の処理においては、調整係数Ｂを設定しない。ただし、図５の処理においても、音声出力中であれば、図４と同様の方法で調整係数Ｂを設定し直してもよい。
【００５２】
なお、音量調整部４２は、調整継続時間を再設定したら、出力部１６から報知情報、ここでは報知音を出力させてもよい。すなわち、音量調整部４２は、音量調整を延長する旨を、報知情報でユーザに報知してもよい。
【００５３】
（音量調整）
次に、音量調整部４２による、音量調整方法について説明する。音量調整部４２は、図４又は図５で設定された調整係数Ｂと調整継続時間とに基づき、出力部１６の出力音声の音量調整を行う。すなわち、音量調整部４２は、調整係数Ｂと調整継続時間とに基づき、通常音量を調整音量に変換して、出力部１６に調整音量で音声を出力させる。以下、具体的に説明する。
【００５４】
図６は、音量調整方法を説明するフローチャートである。図６に示すように、音量調整部４２は、受信状態において音声信号を受信したら（ステップＳ４０）、すなわち受信状態において受信信号を受信したら、調整有効フラグがオンであるかを判断する（ステップＳ４２）。より詳しくは、音量調整部４２は、受信した音声信号に含まれる送信先情報から、その音声信号の宛先が自身の無線通信装置１であるか、又は、その音声信号の宛先のグループに自身の無線通信装置１が含まれるかを判断する。音量調整部４２は、その音声信号の宛先が自身の無線通信装置１であるか、又は、その音声信号の宛先のグループに自身の無線通信装置１が含まれる場合に、ステップＳ４２で、調整有効フラグがオンであるかを判断する。音量調整部４２は、音声信号の宛先が自身の無線通信装置１でない場合、又は、音声信号の宛先のグループに自身の無線通信装置１が含まれない場合、出力部１６に音声を出力させず（ミュート音声として）、本処理を終了してよい。
【００５５】
調整有効フラグがオンである場合（ステップＳ４２；Ｙｅｓ）、音量調整部４２は、送信元情報取得部５０によって、受信している音声信号の送信元情報Ａを取得して、取得した送信元情報Ａが、調整情報テーブルの送信元情報Ａに一致しているかを判断する（ステップＳ４４）。すなわち、送信元情報取得部５０は、受信した音声信号の送信元情報Ａを取得する。そして、音量調整部４２は、調整情報テーブルに含まれる送信元情報Ａの中に、受信した音声信号の送信元情報Ａと一致する送信元情報Ａがあるかを判断する。一致する送信元情報Ａがある場合（ステップＳ４４；Ｙｅｓ）、音量調整部４２は、調整係数設定部５２により、一致する送信元情報Ａに関連付けられた調整係数Ｂを、音量調整に用いる調整係数Ｂとして設定して、設定した調整係数Ｂで、調整音量を設定する（ステップＳ４６）。本実施形態においては、音量調整部４２は、設定した調整係数Ｂを現在の通常音量に乗じて算出した値を、調整音量として設定する。
【００５６】
一方、一致する送信元情報Ａがない場合（ステップＳ４４；Ｎｏ）、音量調整部４２は、調整係数設定部５２により、デフォルト調整係数Ｂ０を、音量調整に用いる調整係数Ｂとして設定して、設定した調整係数Ｂで、調整音量を設定する（ステップＳ４８）。本実施形態においては、音量調整部４２は、設定した調整係数Ｂ（デフォルト調整係数Ｂ０）を現在の通常音量に乗じて算出した値を、調整音量として設定する。
【００５７】
このように、音量調整部４２は、音声信号を受信したら、調整有効フラグがオンである場合に、調整係数Ｂを設定して、設定した調整係数Ｂを用いて調整音量を設定する。すなわち、調整有効フラグがオンであっても、音声信号を受信する前には音声出力を行っていないため、音声信号を受信したタイミングでは、調整係数Ｂが設定されていない。例えばこれより前に調整係数Ｂが設定されていても、その調整係数Ｂを用いた音声出力は終了しているため、調整係数Ｂはリセットされている。従って、音量調整部４２は、音声信号を受信したタイミングで、受信した音声信号に対して調整係数Ｂを設定して、設定した調整係数Ｂを用いて、調整音量を設定する。なお、調整有効フラグがオンである場合、これより前の音声出力が終了していても、調整継続時間として設定された時間が経過するまで、調整継続時間はリセットされずに設定されたままとなっている。従って、音量調整部４２は、調整継続時間の設定は行わない。
【００５８】
また、調整有効フラグがオンでない場合（ステップＳ４２；Ｎｏ）、すなわち調整有効フラグがオフの場合、音量調整部４２は、出力部１６から出力する音量を、通常音量に設定する（ステップＳ５０）。すなわち、調整有効フラグがオンでない場合は、音量調整を行わない。
【００５９】
ステップＳ４６、ステップＳ４８、又はステップＳ５０が終了したら、音量調整部４２は、音量制御部５６により、出力部１６に音声を出力させる（ステップＳ５２）。すなわち、音量制御部５６は、ステップＳ４６、Ｓ４８で調整音量を設定した場合は、出力部１６が受信した音声信号を音声として出力する際の音量を、調整音量として設定して、出力部１６に、調整音量で音声を出力させる。一方、音量制御部５６は、ステップＳ５０で通常音量を出力部１６が出力する音声として設定した場合は、出力部１６が受信した音声信号を音声として出力する際の音量を、通常音量として設定して、出力部１６に、通常音量で音声を出力させる。これにより、本処理は終了する。
【００６０】
なお、音量調整部４２は、調整音量で出力部１６から音声を出力させる前に、出力部１６から報知情報、ここでは報知音を出力させてもよい。すなわち、音量調整部４２は、音量調整して音声を出力させる際に、音量調整する旨を、報知情報でユーザに報知してもよい。
【００６１】
図７は、音量調整方法を説明するフローチャートである。図７は、通常音量で音声を出力している最中に、調整有効フラグがオンに切り替えられた場合の、音量調整方法を説明するものである。図７に示すように、出力部１６が通常音量で音声を出力中に（ステップＳ６０）、調整有効フラグがオンに切り替わった場合（ステップＳ６２；Ｙｅｓ）、音量調整部４２は、調整有効フラグをオンに切り替えた際に設定した調整係数Ｂで、調整音量を設定し、出力部１６に、調整音量で音声を出力させる（ステップＳ６４）。調整有効フラグをオンに切り替えた際に設定した調整係数Ｂとは、図４のステップＳ１６又はステップＳ２０で設定された調整係数Ｂである。一方、調整有効フラグがオンに切り替わらない場合（ステップＳ６２；Ｎｏ）、音量調整部４２は、出力部１６に、通常音量での出力を続けさせる(ステップＳ６６)。
【００６２】
次に、音量調整を終了する場合の処理について説明する。図８は、調整継続時間が経過した場合の処理を説明するフローチャートであり、図９は、停止操作が行われた場合の処理を説明するフローチャートである。図８に示すように、出力部１６から調整音量で音声を出力させている最中、すなわち音量調整の最中に、停止操作が行われることなく調整継続時間が経過したら（ステップＳ７０）、音量調整部４２は、オンとなっていた調整有効フラグをオフにする（ステップＳ７２）。言い換えれば、音量調整部４２は、調整音量で音声を出力させている最中に調整継続時間のタイマにセットされた調整継続時間が経過したら、タイマを停止させて、調整有効フラグをオフにする。そして、音量調整部４２は、出力部１６からの音声出力が終了するまで、音量調整を継続して（ステップＳ７４）、音声出力が終了したら、音量調整を終了する。すなわち、音量調整部４２は、停止操作が行われることなく調整継続時間が経過した場合、現在出力している音声信号の音声出力が終了するまで、調整音量での音声出力を続ける。
【００６３】
一方、図９に示すように、出力部１６から調整音量で音声を出力させている最中に、ユーザによる停止操作が行われたら（ステップＳ８０）、すなわち音量調整部４２がスイッチ２０Ｅへの停止操作を検出したら、音量調整部４２は、タイマを停止させて、オンとなっていた調整有効フラグをオフにする（ステップＳ８２）。なお、停止操作は、スイッチ２０Ｅへの１回の操作（押圧）であるが、停止操作の方法は任意である。そして、音量調整部４２は、音量調整を中止して（ステップＳ８４）、以降は通常音声で音声を出力させる。すなわち、音量調整部４２は、停止操作が行われた場合、調整継続時間が経過していてもしていなくても、調整音量での音声出力から通常音量での音声出力に切り替える。なお、音量調整部４２は、音声出力がされていない際に調整継続時間が経過した場合、及び、音声出力がされていない際に停止操作を検出した場合にも、タイマを停止させて、オンとなっていた調整有効フラグをオフにする。また、音量調整部４２は、調整継続時間が経過した際に、出力部１６から報知情報、ここでは報知音を出力させてもよい。すなわち、音量調整部４２は、調整継続時間が終了して音量調整が終了する旨を、報知情報でユーザに報知してもよい。報知情報は、調整継続時間が経過したタイミングに限られず、音量調整している音声の出力が終了したタイミングに報知されてもよい。
【００６４】
また、音量調整部４２は、音声信号に緊急通信であることを示す緊急情報が含まれていた場合に、音量調整を停止してもよい。緊急情報は、音声信号に含まれた情報であり、必要に応じて、送信元が音声信号に含める。音量調整部４２は、送受信制御部４０によって音声信号から緊急情報が抽出された場合、この緊急情報を取得して、音量調整を停止する。この場合の停止フローは、図９の停止操作による音量調整の停止フローと同様である。すなわち、図９の停止情報の検出を、緊急情報の取得に置き換えればよい。以上が、音量調整の設定方法である。
【００６５】
（音量調整例）
次に、以上説明した音量調整方法を用いた音量調整の例を説明する。図１０から図１６は、本実施形態に係る音量調整の例を説明する図である。図１０から図１６において、横軸は時間であり、縦軸は出力部１６が出力する音声の音量である。図１０は、音量調整を行わず通常音量で音声出力を行っている例である。図１０から図１２は、最初に送信元情報Ａ１の音声信号を出力し、その後、送信元情報Ａ２の音声信号を出力し、その後、送信元情報Ａ１の音声信号を出力し、その後、送信元情報Ａ３の音声信号を出力し、その後、送信元情報Ａ１の音声信号を出力した例を示している。図１０では、音量調整を行っていないため、全ての音量が、通常音量Ｒとなっている。
【００６６】
図１１は、最初の送信元情報Ａ１の音声信号の出力中の時刻Ｔａに、音量調整を始めた場合の例を説明している。すなわち、図１１では、時刻Ｔａに、スイッチ２０Ｃへの調整操作が検出されたため、音量調整部４２は、図４のステップＳ１６に示すように、送信元情報Ａ１に関連付いた調整係数Ｂ１を設定して、図４のステップＳ１８に示すように、送信元情報Ａ１に関連付いた調整時間ΔＴ１を調整継続時間に設定して、調整有効フラグをオンにしている。そして、音量調整部４２は、時刻Ｔａに、図７のステップＳ６４に示すように、設定した調整係数Ｂ１で調整音量Ｒ１を設定して、音声出力を通常音量Ｒから調整音量Ｒ１に切り替える。図１１の例では、調整時間ΔＴ１、すなわち調整継続時間は、時刻Ｔａから、送信元情報Ａ３の音声信号の出力中の時刻Ｔｂまでの時間となる。従って、最初の送信元情報Ａ１の音声信号の出力終了後、送信元情報Ａ２の音声信号は、調整係数Ｂ２に基づき設定された調整音量Ｒ２で出力され、その後の送信元情報Ａ１の音声信号は、調整音量Ｒ１で出力される。また、送信元情報Ａ３の音声信号の出力開始のタイミングでも、調整継続時間が続いて調整有効フラグがオンになっているため、送信元情報Ａ３の音声信号は、調整係数Ｂ３に基づき設定された調整音量Ｒ３で出力される。そして、時刻Ｔｂにおいて調整継続時間が経過するため、音量調整部４２は、図８のステップＳ７２に示すように、調整有効フラグをオフにする。ただし、時刻Ｔｂにおいては、送信元情報Ａ３の音声信号の出力が続いているため、音量調整部４２は、送信元情報Ａ３の音声信号の出力が終了するまで、調整音量Ｒ３での出力を続ける。送信元情報Ａ３の音声信号の次の送信元情報Ａ１の音声信号は、調整有効フラグがオフになっているため、通常音量Ｒで出力される。
【００６７】
図１２は、最初の送信元情報Ａ１の音声信号の出力前の時刻Ｔｃに、音量調整を始めた場合の例を説明している。すなわち、図１２では、時刻Ｔｃに、スイッチ２０Ｃへの調整操作が検出されたため、音量調整部４２は、図４のステップＳ２２に示すように、デフォルト調整時間ΔＴ０を調整継続時間に設定して、調整有効フラグをオンにしている。図１２の例では、デフォルト調整時間ΔＴ０、すなわち調整継続時間は、時刻Ｔｃから、送信元情報Ａ３の音声信号の出力中の時刻Ｔｄまでの時間となる。従って、最初の送信元情報Ａ１の音声信号、送信元情報Ａ２の音声信号、及びその後の送信元情報Ａ１の音声信号は、音量調整された調整音量Ｒ１、Ｒ２、Ｒ１で出力される。また、図１１と同様に、調整継続時間が終了する時刻Ｔｄは、送信元情報Ａ３の音声信号の出力中であるため、図１０と同様、送信元情報Ａ３の音声信号は、出力が終了するまで、調整音量Ｒ３で出力される。送信元情報Ａ３の音声信号の次の送信元情報Ａ１の音声信号は、調整有効フラグがオフになっているため、通常音量Ｒで出力される。
【００６８】
図１３は、２つ目の音声信号が、調整情報テーブルに含まれない送信元情報Ａを有する場合の例であり、その点以外は、図１２と同じである。すなわち、図１３では、最初に送信元情報Ａ１の音声信号を出力し、その後、デフォルト送信元情報Ａ０の音声信号を出力し、その後、送信元情報Ａ１の音声信号を出力し、その後、送信元情報Ａ３の音声信号を出力し、その後、送信元情報Ａ１の音声信号を出力した例を示している。図１３に示すように、２つ目の音声信号は、調整情報テーブルに含まれない送信元情報Ａを有する音声信号であるため、デフォルト送信元情報Ａ０が割り当てられる。従って、２つ目の音声信号は、デフォルト調整係数Ｂ０に基づき設定された調整音量Ｒ０で出力される。なお、本実施形態では、調整音量Ｒ０は、通常音量Ｒより小さく、調整情報テーブルに含まれる送信元情報Ａの調整音量Ｒ１、Ｒ２、Ｒ３より大きい。すなわち、デフォルト調整係数Ｂ０は、調整情報テーブルに含まれる送信元情報Ａに関連付けられた調整係数Ｂ（ここでは調整係数Ｂ１、Ｂ２、Ｂ３）より大きく、１より小さい。このように設定することで、調整情報テーブルに送信元が設定されていない送信元からの音量を、調整情報テーブルに送信元が設定された送信元からの音量より大きくすることができるため、送信元が不明の音声が小さくなり過ぎることを抑制できる。ただし、デフォルト調整係数Ｂ０は、このような値に限られず任意に設定可能である。なお、デフォルト調整時間ΔＴ０も、調整情報テーブルに含まれる送信元情報Ａに関連付けられた調整時間ΔＴより長いことが好ましいが、それに限られず任意に設定可能である。
【００６９】
図１４から図１６は、最初に送信元情報Ａ２の音声信号が出力され、次に送信元情報Ａ１の音声信号が出力される例を示している。図１４は、音声出力中に調整継続時間が経過した場合であって、停止操作が行われない場合の例を示している。図１４の例では、送信元情報Ａ２の音声信号を出力中の時刻Ｔｅに、音量調整を始めた場合の例を説明している。すなわち、図１４では、時刻Ｔｅに、スイッチ２０Ｃへの調整操作が検出されたため、音量調整部４２は、時刻Ｔｅにおいて、送信元情報Ａ２の音声信号の音量を、通常音量Ｒから調整音量Ｒ２に切り替えている。また、音量調整部４２は、送信元情報Ａ２に関連付いた調整時間ΔＴ２を、調整継続時間に設定する。調整時間ΔＴ２、すなわち調整継続時間は、時刻Ｔｅから、送信元情報Ａ２の音声信号の出力中の時刻Ｔｆまでの時間となる。従って、音量調整部４２は、調整継続時間が経過した時刻Ｔｅで調整有効フラグをオフにして、送信元情報Ａ２の音声信号の出力が終了するまで、調整音量Ｒ２での音声出力を続ける。次の送信元情報Ａ１の音声信号は、調整有効フラグがオフになっているため、通常音量Ｒで出力される。
【００７０】
図１５は、音声出力中に停止操作が行われた場合の例を示している。図１５の例では、調整継続時間の時間帯の時刻Ｔｅと時刻Ｔｆとの間の時刻Ｔｇに、停止操作が行われている。すなわち、図１４では、送信元情報Ａ２の音声信号を出力中の時刻Ｔｇに、スイッチ２０Ｅへの停止操作が検出されたため、音量調整部４２は、時刻Ｔｇにおいて、調整有効フラグをオフにして、送信元情報Ａ２の音声信号の音量を、調整音量Ｒ２から通常音量Ｒに切り替えている。
【００７１】
図１６は、延長操作が行われた場合の例を示している。図１６の例では、調整継続時間の時間帯の時刻Ｔｅと時刻Ｔｆとの間の時刻Ｔｈに、延長操作が行われている。すなわち、図１６では、送信元情報Ａ２の音声信号を出力中の時刻Ｔｈに、スイッチ２０Ｄへの延長操作が検出されたため、音量調整部４２は、時刻Ｔｈにおいて、図５のステップＳ３６に示すように、送信元情報Ａ２に関連付いた調整時間ΔＴ２で、調整継続時間を延長している。調整継続時間は、時刻Ｔｈから調整時間ΔＴ２だけ経過した時刻Ｔｉまで延長される。時刻Ｔｉは、送信元情報Ａ１の音声信号の出力中の時間である。従って、送信元情報Ａ１の音声信号は、出力終了まで、調整音量Ｒ１で出力される。
【００７２】
以上説明したように、本実施形態に係る無線通信装置１は、プレストーク通信によって無線通信を行うものであって、ユーザの操作を受け付ける操作部２０と、受信した音声信号を音声として出力する出力部１６と、出力部１６が出力する音声の音量を調整する音量調整部４２と、を有する。音量調整部４２は、操作部２０にユーザの所定の操作があった場合に、音声信号の送信元を示す送信元情報Ａを取得し、取得した送信元情報Ａに基づき、音声の音量を調整する度合いである調整係数Ｂを設定し、設定した調整係数Ｂを用いて、音声の音量を調整する。無線通信装置１は、受信した音声信号の送信元を示す送信元情報Ａに基づき、音声信号の音量を調整する。従って、この無線通信装置１によると、全ての送信元からの音声信号に対し、音量を一様に調整せずに、送信元毎に音量調整することができ、調整音量を送信元毎に異ならせることができる。従って、この無線通信装置１によると、送信元毎に応じて、音量制御を柔軟に行うことができる。
【００７３】
また、無線通信装置１は、送信元情報Ａと調整係数Ｂとを関連付けた情報である調整情報を、複数の送信元毎に記憶する記憶部３４をさらに有する。音量調整部４２は、受信した音声信号から取得した送信元情報Ａと一致する送信元情報Ａが、調整情報に含まれる場合に、一致する送信元情報Ａに関連付けられた調整係数Ｂを用いて、音声の音量を調整する。この無線通信装置１は、音量調整を行うための調整係数Ｂを、送信元情報Ａ毎にあらかじめ設定する。従って、この無線通信装置１によると、送信元毎に応じて、音量制御を柔軟に行うことができる。また、送信元情報Ａ毎に予め調整係数Ｂを設定しておくことで、送信元に応じた音量調整をユーザのニーズに応じて適切に行うことができる。なお、調整係数Ｂの値は、変更可能である。
【００７４】
また、音量調整部４２は、操作部２０にユーザの所定の操作（調整操作）があった場合であって、受信した音声信号の送信元情報Ａと一致する送信元情報Ａが、調整情報に含まれない場合に、予め定めた調整係数Ｂであるデフォルト調整係数Ｂ０を用いて、音声の音量を調整する。この無線通信装置１によると、デフォルト調整係数Ｂ０を用いて音量調整を行うため、予め設定していない送信元から音声信号を受信した場合でも、音量調整を好適に行うことができる。
【００７５】
また、記憶部３４は、音声の音量調整を続ける調整継続時間を設定するための調整時間ΔＴを、送信元情報Ａに関連付けて調整情報として記憶する。音量調整部４２は、受信した音声信号の送信元情報Ａと一致する送信元情報Ａが調整情報に含まれる場合に、一致する送信元情報Ａに関連付けられた調整時間ΔＴを用いて、調整継続時間を設定する。この音量調整部４２は、調整時間ΔＴに基づき、音量調整を継続する調整継続時間を設定する。調整継続時間を設定しておくことで、１回の音声出力が終了して、次の音声出力が始まるまで、音量調整を続ける（有効調整フラグをオンにし続ける）ことが可能であるため、音声信号を受信する度に、調整操作を行う必要がなくなり、音量調整を容易に行う事も可能となる。さらに、調整時間ΔＴを、送信元毎に設定することで、送信元に応じて、音量調整する時間を柔軟に設定することができる。例えば、複数回に分けて通信してくる傾向がある送信元からの音声信号を受信した場合には、その傾向に合わせて調整時間ΔＴを長く設定しておくことで、その送信元からの複数回にわたる音声を、１回の操作で音量調整した状態で受け取ることができる。また、調整継続時間を設定しておくことで、音量調整する時間が長くなり過ぎることも抑制できる。
【００７６】
また、音量調整部４２は、出力部１６から音声が出力されているタイミングに操作部２０へのユーザの所定の操作（調整操作）があった場合であって、一致する送信元情報Ａが調整情報に含まれる場合に、一致する送信元情報Ａに関連付けられた調整時間ΔＴを用いて、調整継続時間を設定して、音声の音量調整を開始する。そして、音量調整部４２は、出力部１６から音声が出力されていないタイミングに操作部２０にユーザの調整操作があった場合には、予め定めた調整時間ΔＴであるデフォルト調整時間ΔＴ０を用いて、調整継続時間を設定する。この音量調整部４２は、音声出力中に予め設定している送信元から音声信号を受信した場合には、送信元毎に設定した調整時間ΔＴで調整継続時間を設定し、音声を出力していない際に音声信号を受信した場合には、デフォルト調整時間ΔＴ０で調整継続時間を設定する。従って、無線通信装置１によると、状況に応じて適切に音量調整の時間を設定することができる。
【００７７】
また、音量調整部４２は、一致する送信元情報Ａが調整情報に含まれない場合に、デフォルト調整時間ΔＴ０を用いて、調整継続時間を設定する。従って、無線通信装置１によると、予め設定していない送信元から音声信号を受信した場合でも、音量調整を好適に行うことができる。
【００７８】
また、音量調整部４２は、出力部１６から音声が出力されている最中に調整継続時間が終了した場合は、音声の出力が終了するまで、音声の音量調整を続ける。無線通信装置１は、調整継続時間が終了しても、その音声が終了するまでは音量調整を続けるため、延長操作が増えることを抑制して、容易に音量調整を設定することが可能となる。
【００７９】
また、無線通信装置１は、調整継続時間が経過して音量調整が終了することを報知する報知情報を出力する。この無線通信装置１によると、ユーザが音量調整が終了することを認識可能となるため、必要に応じて再度調整操作を行うなど、音量調整を好適に行わせることができる。
【００８０】
なお、本実施形態では、１つの送信元情報Ａに対して、１つの調整係数Ｂと１つの調整時間ΔＴとが設定されたが、それに限られない。すなわち、複数の送信元情報Ａに対して、１つの調整係数Ｂと１つの調整時間ΔＴとが設定されてもよい。また、１つの送信元情報Ａに対して、複数の調整係数Ｂと複数の調整時間ΔＴとが設定されてもよい。この場合、調整係数設定部５２は、送信元情報Ａに対して割り当てられた複数の調整係数Ｂのうち、１つの調整係数Ｂを、抽出する調整係数Ｂとして選択する。例えば、調整係数設定部５２は、無線通信装置１の外部環境に基づき、抽出する調整係数Ｂを選択する。例えば、調整係数設定部５２は、無線通信装置１の周囲の音声が所定値より大きい場合、すなわち騒音が大きい場合は、値が高い調整係数Ｂを、抽出する調整係数Ｂとして選択してよい。また、調整係数設定部５２は、無線通信装置１の周囲の音声が所定値以下である場合、すなわち騒音が小さい場合は、値が高い調整係数Ｂを、抽出する調整係数Ｂとして選択してよい。外部環境、ここでは周囲の音声は、無線通信装置１に備えられた音量センサで検出してもよい。なお、抽出する調整係数Ｂの選択方法は、これに限られず任意であり、例えばユーザの操作によって選択してもよい。また、１つの送信元情報Ａに対して複数の調整時間ΔＴが設定されている場合も、調整時間設定部５４が、同様の方法で、送信元情報Ａに対して割り当てられた複数の調整時間ΔＴのうち、１つの調整時間ΔＴを、抽出する調整時間ΔＴとして選択してよい。
【００８１】
以上、本発明の実施形態を説明したが、これら実施形態の内容により実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能であり、各実施形態の構成を組み合わせることも可能である。さらに、前述した実施形態の要旨を逸脱しない範囲で構成要素の種々の省略、置換又は変更を行うことができる。
【符号の説明】
【００８２】
１  無線通信装置
１０  筐体
１４  入力部
１６  出力部
２０  操作部
２４  内部装置
４０  送受信制御部
４２  音量調整部
５０  送信元情報取得部
５２  調整係数設定部
５４  調整時間設定部
５６  音量制御部
Ａ  送信元情報
Ｂ  調整係数
ΔＴ  調整時間
【図１】
2020102804.tif 000003
【図２】
2020102804.tif 000004
【図３】
2020102804.tif 000005
【図４】
2020102804.tif 000006
【図５】
2020102804.tif 000007
【図６】
2020102804.tif 000008
【図７】
2020102804.tif 000009
【図８】
2020102804.tif 000010
【図９】
2020102804.tif 000011
【図１０】
2020102804.tif 000012
【図１１】
2020102804.tif 000013
【図１２】
2020102804.tif 000014
【図１３】
2020102804.tif 000015
【図１４】
2020102804.tif 000016
【図１５】
2020102804.tif 000017
【図１６】
2020102804.tif 000018